(57)【要約】      （修正有）【課題】カメラとファインダーの電気通信を行いつつ、交換アクセサリーの取り付け位置精度の低下を抑えると共に、アクセサリー装着時の操作性低下を低減することを可能にした、光学機器に着脱可能なアクセサリー装置を提供する。【解決手段】光学機器に着脱可能なアクセサリー装置であって、アクセサリー装置は、アクセサリー装置を光学機器側へ付勢する複数の圧縮ばね２６を備え、光学機器とアクセサリー装置とに、双方を電気接続する電気接続部材２９を備え、電気接続部材２９は、アクセサリー装置の装着を妨げる方向に反力を働かせ、電気接続部材２９の反力と、各圧縮ばね２６の付勢力により、アクセサリー装置の重心まわりに生じるモーメントが減少するように、各圧縮ばね２６の付勢力を異ならせる。【選択図】図６
2019028177.tif 000002
【特許請求の範囲】
【請求項１】
光学機器に着脱可能なアクセサリー装置であって、
前記アクセサリー装置は、前記アクセサリー装置を前記光学機器側へ付勢する複数の付勢部材（２６）を備え、前記光学機器と前記アクセサリー装置とに、双方を電気接続する電気接続部材（２９）を備え、
前記電気接続部材（２９）は、前記アクセサリー装置の装着を妨げる方向に反力を働かせ、
前記電気接続部材（２９）の反力と、前記各付勢部材（２６）の付勢力により、前記アクセサリー装置の重心まわりに生じるモーメントが減少するように、前記各付勢部材（２６）の付勢力を異ならせることを特徴とする光学機器に着脱可能なアクセサリー装置。
【請求項２】
電気接続部材（２９）に最も近い付勢部材（２６）の付勢力と、最も遠い付勢部材（２６）の付勢力との差が、電気接続部材（２９）が前記アクセサリー装置の装着を妨げる方向に働く反力以下となることを特徴とする請求項１に記載の光学機器に着脱可能なアクセサリー装置。
【請求項３】
前記アクセサリー装置はカメラ（１）に着脱可能な交換式のファインダー（２）であり、前記ファインダー（２）と、すくなくとも冷却装置またはＥＶＦまたは撮像装置を設けたアクセサリーと交換可能なことを特徴とする請求項１乃至請求項３の何れか一項に記載の撮像装置。
【発明の詳細な説明】
【技術分野】
【０００１】
本発明は、光学機器に着脱可能なアクセサリー装置に関し、特にファインダー交換機構を有する撮像装置に関する。
【背景技術】
【０００２】
従来から、光学ファインダーがカメラ本体から着脱可能な、ファインダー交換機構を有する撮像装置が提案されている。交換式ファインダーを有する従来の一眼レフカメラは、アイレベルファインダーやウェストレベルファインダーなどのファインダーアクセサリーと交換可能であった。これらのアクセサリーは主に、ファインダー機能に関するものである。
【０００３】
一方で、近年のデジタル一眼レフカメラでは一般に、静止画撮影に加えて動画撮影も可能であり、動画撮影時にはファインダーは使用できない。そこで、従来からあるファインダー交換機構を、デジタル一眼レフカメラに付与した場合、上述のファインダーアクセサリー以外にも、ファインダーに代わる、動画撮影を補助するようなアクセサリーが考えられる。動画撮影用のアクセサリーの例には、動画撮影時の発熱対策のための冷却用のファンや、電子ビューファインダー（ＥＶＦ）、シームレスな動画撮影を可能にする第二の撮像素子などが考えられる。
【０００４】
ここで、装着されるアクセサリーによっては、カメラ本体と電気通信を行う必要がある。電気通信手段には無線または有線での方法があり、信号やデータなどを通信する場合は、電波等を用いた非接触の無線通信が採用可能である。この非接触方式のメリットは、電気通信部の耐久性に優れることや、組立誤差や部品公差などのバラツキを緩和できるというメリットが挙げられる。非接触方式のデメリットとして、接触方式に対して伝送できる電力が小さく、伝送効率が劣る。
【０００５】
一方で、接触方式では高い電力を効率よく、安定して供給することが可能である。アクセサリーの電力供給を考えたとき、アクセサリー内に電池を設けることも考えられるが、アクセサリーのスペースを確保するためには、カメラ本体側からアクセサリーへ電力供給されることが望ましい。そのため、カメラ本体とアクセサリー間の電力の供給を考えると、高電力を高効率で伝送するために、有線による接触方式が有効である。接触方式での電気通信は、アクセサリー装着時に電気通信部材に接触圧が加わるようにして、接続信頼性を確保する必要がある。
【０００６】
カメラとファインダーの接触方式での電気通信の例として、特許文献１には、前後左右方向に傾動可能なフローティングコネクタにより、コネクタ同士のずれを吸収しながら、ファインダーをカメラ側に付勢して、電気通信部材を圧接して電気接続される方法が開示されている。
【０００７】
特許文献２には、カメラ本体とロック部材によって保持されたファインダーが、カメラ本体側に突設された弾性部材および電気接続部材によって装着方向の反対方向に付勢されて、ファインダーの位置決めおよび電気接続がなされる方法が開示されている。
【先行技術文献】
【特許文献】
【０００８】
【特許文献１】特開平１０−２３２４３８号公報
【特許文献２】特開平１１−１７４５２８号公報
【発明の概要】
【発明が解決しようとする課題】
【０００９】
しかしながら、上述の特許文献１に開示された従来技術では、電気接続部材によってファインダーは、ファインダー装着を阻害する方向に力を受ける。この電気接続部材は、ファインダーユニットの片側一方に設けられており、ファインダーユニットを回転させようとする力を働かせる。ファインダーユニットがカメラ本体に位置決めされてカメラ側に保持されている際は、ペンタホルダーに回転モーメントは生じない。
【００１０】
一方で、カメラに衝撃が加わった際は、ファインダーは保持された位置から浮き、ペンタホルダーに回転モーメントが生じる。ペンタホルダーが回転することで、ファインダーのロック機構や位置決め機構が削られて、ファインダー取り付け位置精度が低下する恐れがある。ファインダーの取り付け位置精度が低下すると、ファインダーピントや視野率が変化することや、アクセサリーの防滴性が低下する恐れがある。
【００１１】
特許文献２に開示された従来技術では、ファインダーはロック機構によってカメラ本体に保持され、カメラ本体側に突設された複数の弾性部材および電気接続部材によって、装着を阻害する方向に付勢されて位置決めされる。この構成では、弾性部材と電気接続部材の付勢力が同一方向であるため、ファインダーは電気接続部材の反力を受けてファインダーロック位置を軸とした回転モーメントを生じさせる。そのため、カメラに衝撃が加わった際は、ファインダーはロック機構や位置決めピンを削りながら摺動して、ファインダー取り付け位置精度が低下する恐れがある。
【００１２】
また、上述の特許文献１および２において、衝撃時もファインダーが取り付け位置から動かないように付勢力を増加させて、ファインダーの傾きを防ぐ方法が考えられる。
【００１３】
しかし、付勢部材の付勢力が増加することで、ファインダー装着に必要な装着力は増加して、ファインダー装着の操作性を低下させる。このため、各付勢部材の付勢力と電気接続部材の反力の位置および荷重量によっては、ファインダー装着の操作性を低下させずに、衝撃時にファインダーが傾かないための構成が必要となる。
【００１４】
以下に、本発明の目的を述べる。本発明は、ファインダーと交換されるアクセサリーの機能を拡張するための、ピント板を含む光学ファインダーユニットを交換可能とした交換式ファインダーに関するものである。本発明の目的は、カメラとファインダーの電気通信を行いつつ、交換アクセサリーの取り付け位置精度の低下を抑えると共に、アクセサリー装着時の操作性低下を低減することを可能にした、光学機器に着脱可能なアクセサリー装置を提供することにある。
【課題を解決するための手段】
【００１５】
上記の目的を達成するために、本発明に係る光学機器に着脱可能なアクセサリー装置は、
光学機器に着脱可能なアクセサリー装置であって、
前記アクセサリー装置は、前記アクセサリー装置を前記光学機器側へ付勢する複数の付勢部材（２６）を備え、前記光学機器と前記アクセサリー装置とに、双方を電気接続する電気接続部材（２９）を備え、
前記電気接続部材（２９）は、前記アクセサリー装置の装着を妨げる方向に反力を働かせ、
前記電気接続部材（２９）の反力と、前記各付勢部材（２６）の付勢力により、前記アクセサリー装置の重心まわりに生じるモーメントが減少するように、前記各付勢部材（２６）の付勢力を異ならせることを特徴とする。
【発明の効果】
【００１６】
本発明によれば、カメラとファインダーの電気通信を行いつつ、交換アクセサリーの取り付け位置精度の低下を抑えると共に、アクセサリー装着時の操作性低下を低減することを可能にした、光学機器に着脱可能なアクセサリー装置を提供することができる。
【図面の簡単な説明】
【００１７】
【図１】交換式ファインダーを有するカメラの正面図
【図２】ファインダーの分解斜視図
【図３】ファインダー装着時のカメラ断面図
【図４】カメラ本体のファインダー取り付け部の斜視図
【図５】ファインダー装着前のファインダーと調整部材の投影図
【図６】ファインダー装着時のファインダーと調整部材の投影図
【図７】調整部材に取り付けられたファインダーの上面図
【図８】ペンタホルダーに働く力の位置を示す略図
【図９】カメラ本体に衝撃が加わった際のペンタホルダーの姿勢を示す略図
【図１０（ａ）】ペンタホルダーに働く外力の位置を示すファインダー上面略図
【図１０（ｂ）】ペンタホルダーに働く外力の位置を示すファインダー上面略図
【図１０（ｃ）】ペンタホルダーに働く外力の位置を示すファインダー上面略図
【図１１】ファンアクセサリーの分解斜視図
【図１２】ファンアクセサリーの構成図
【発明を実施するための形態】
【００１８】
以下に、本発明の好ましい実施の形態を、添付の図面に基づいて詳細に説明する。
【００１９】
図１は、交換式のファインダー（２）を有するカメラの正面図である。図１（ａ）はファインダー（２）装着時を示し、図１（ｂ）はファインダー（２）非装着時を示している。
【００２０】
本実施の形態に係るカメラは一眼レフカメラであり、カメラ本体（１）の全面中央にレンズマウント（１０）、側部にグリップ（１１）が設けられ、上面にファインダー（２）が取り外し可能に取り付けられる。また、カメラ本体（１）には反射ミラー（１２）や、レリーズボタン（１３）が設けられている。図１（ａ）のファインダー（２）装着状態におけるカメラ（１）の上面は、ファインダー（２）の外観部を形成するファインダー外装部材（１４）と、それに隣接するカメラ外装部材（１５）によって形成される。本実施の形態を説明するにあたり、カメラ本体（１）側のファインダー着脱部と、交換可能なファインダー（２）とに分けて以下に述べる。
【００２１】
図２は、ファインダー（２）の分解斜視図である。図３は、ファインダー（２）装着時のカメラ（１）断面図である。図４は、カメラ本体（１）のファインダー取り付け部の斜視図である。
【００２２】
以下に図２から図４を用いて、カメラ本体（１）とファインダー（２）の構成を説明する。
【００２３】
図２より、ファインダー（２）はファインダー外装部材（１４）、ペンタユニット（３）、アイピースユニット（４）、ロック機構（５）によって構成される。ペンタユニット（３）を構成する部品は、ペンタホルダー（２１）、ペンタダハプリズム（２２）、ファインダー内表示部材（２３）、ピント板（２４）などがあり、これらはペンタホルダー（２１）に一体に組み込まれている。
【００２４】
図３に示すように、ペンタホルダー（２１）には、ファインダー外装部材（１４）に保持されるための複数の貫通孔（２１０１）が設けられており、ファインダー外装部材（１４）に締結される釣り下げねじ（２５）のビス頭（２５０１）によって、ファインダー外装部材（１４）側へ保持される。釣り下げねじ（２５）のビス頭（２５０１）はペンタホルダー（２１）の貫通孔（２１０１）径より大きくし、ねじ径（２５０２）はペンタホルダー（２１）の貫通孔（２１０１）径よりも小さくすることで、ペンタホルダー（２１）はファインダー外装部材（１４）に対して、カメラ上方および平面方向に動くことが可能となる。ファインダー外装部材（１４）とペンタホルダー（２１）の間には、付勢部材である圧縮ばね（２６）を複数設け、ファインダー（２）装着時にペンタホルダー（２１）をカメラ本体（１）側へ付勢する。この圧縮ばね（２６）は、釣り下げねじ（２５）と同軸上に設ける。ファインダー（２）をカメラ本体（１）に装着する際は、図４に示す調整部材（２７）の上面から突設した位置決めピン（２７０１）と、図２に示すペンタホルダー（２１）の左右に設けられた嵌合孔（２１０２）が嵌合して、位置決めされる。ペンタホルダー（２１）の位置決め後に、さらにファインダー外装部材（１４）をカメラ本体（１）側へ押し込むと、ファインダー外装部材（１４）は、各圧縮ばね（２６）を圧縮しながら、ロック機構（５）によってカメラ外装部材（１５）に固定される。
【００２５】
図４に示す調整部材（２７）は、前板（２８）上にねじ（１７）で固定され、固定位置を調整することによって、ファインダー（２）装着時におけるペンタホルダー（２１）の位置調整が可能となる。また、ピント板（２４）を一体に備えたペンタホルダー（２１）が、調整部材（２７）を介して前板（２８）に位置決めされることで、ファインダーピントおよび視野率を決めることが可能となる。
【００２６】
図５に、ファインダー（２）装着前のファインダー（２）と調整部材（２７）の投影図を示し、図５（ａ）は側面図、（ｂ）は正面図を示している。図６に、ファインダー（２）装着時のファインダー（２）と調整部材（２７）の投影図を示し、図６（ａ）は側面図、（ｂ）は正面図を示している。
【００２７】
以下、図５と図６を用いて、ファインダー（２）とカメラ本体（１）との電気接続方法について説明する。
【００２８】
図５、図６における破線は、ファインダー外装部材（１４）を示しており、ペンタホルダー（２１）を保持するための釣り下げねじ（２５）の取り付け部が設けられている。
【００２９】
図５（ａ）に示すように、ファインダー（２）とカメラ本体（１）を電気接続するための電気接続部材（２９）には、ファインダー側に接点部（２９０１）とカメラ本体（１）側にポゴピン（２９０２）を用いる。本実施の構成では、ファインダー（２）側は、ペンタホルダー（２１）の底面部に接点部（２９０１）を設け、カメラ本体（１）側は、調整部材（２７）の上面にポゴピン（２９０２）を設ける。
【００３０】
図６（ａ）のように、調整部材（２７）の位置決めピン（２７０１）と、ペンタホルダー（２１）の嵌合孔（２１０２）が嵌合する際に、電気接続部材（２９）同士が位置決めされる。ペンタホルダー（２１）が調整部材（２７）上に設置される過程で、各ポゴピン（２９０２）と各接点部（２９０１）が接触して、カメラ本体（１）とファインダー（２）との電気通信が可能となる。ファインダー（２）装着時にペンタホルダー（２１）は、ペンタホルダー（２１）とファインダー外装部材（１４）との間に設けられた複数の圧縮ばね（２６）によって、矢印Ｆで示すファインダー（２）装着方向へ付勢される。このとき、ポゴピン（２９０２）は、ペンタホルダー（２１）に設けられた接点部（２９０１）からファインダー（２）装着方向に付勢されて、調整部材（２７）の上面と同一高さとなるように調整部材（２７）内部に沈み込む。ポゴピン（２９０２）は、圧縮ばね（２６）の付勢力方向Ｆに対向する矢印Ｔの方向へ、ペンタホルダー（２１）に反力を働かせる。ペンタホルダー（２１）がポゴピン（２９０２）から反力を受けることによって、カメラ本体（１）とファインダー（２）の電気接続信頼性が得られる。
【００３１】
図７は、調整部材（２７）に取り付けられたファインダー（２）の上面図を示している。
【００３２】
以下に、図５と図７を用いて本実施のポゴピン（２９０２）の位置について説明する。
【００３３】
図７に示すように、ペンタホルダー（２１）には二種類のファインダー表示部材（２３０１、２３０２）がペンタホルダー（２１）の側面に設けられている。これらは、図５（ａ）に示すファインダー内下部液晶表示器（２３０１）と、図５（ｂ）に示すファインダー内右部液晶表示器（２３０２）で構成される。ファインダー内下部液晶表示器（２３０１）は主に、撮影条件や撮影モード等を示し、ファインダー内右部液晶表示器（２３０２）は主に、露出補正量や連続撮影可能枚数等を示す。
【００３４】
図７の破線で示すように、ポゴピン（２９０２）の位置は、ファインダー表示部材（２３０１、２３０２）の位置に対して、破線で示すピント板（２４）を挟んだ対向側に設けることで、ファインダー（２）の大型化を防ぐことが可能となる。また、図５（ａ）に示すように、本実施の形態における、ポゴピン（２９０２）の数は４本としたが、ファインダー（２）以外にも冷却ファンやＥＶＦ、撮像ユニットなど様々なアクセサリーの電源供給を想定すると、電気接続部材（２９）の接点数はさらに必要となる。この場合、各ポゴピン（２９０２）を調整部材（２７）上に複数に分けて配置することも考えられるが、ファインダー（２）およびカメラ本体（１）側の電気配線の簡易化や省スペース化のためには、電気接続部材（２９）の位置は一ヶ所にまとめることが望ましい。
【００３５】
次に図６と図７を用いて、ペンタホルダー（２１）をカメラ本体（１）側に付勢するために必要な付勢力について説明する。カメラの姿勢変化やミラー駆動による振動などで、ペンタホルダー（２１）が傾くことのないように、少なくともペンタユニット（３）の自重以上の荷重で、ペンタホルダー（２１）をカメラ本体（１）側へ付勢する必要がある。また、ファインダー（２）装着時にポゴピン（２９０２）は、ペンタホルダー（２１）に図６の矢印Ｔの方向に力を働かせるため、ポゴピン（２９０２）の反力を打ち消すための追加の付勢力が必要となる。本実施の形態では、ペンタホルダー（２１）の傾きを抑えるために、ペンタユニット（３）の自重の３倍の荷重にポゴピン（２６）の反力を足した荷重を、複数の圧縮ばね（２６）の総付勢力となるようにした。ここでは図７に示すように、ペンタホルダー（２１）の四方に４本の圧縮ばね（２６ａ、２６ｂ、２６ｃ、２６ｄ）を設けることで、カメラの姿勢変化やミラー駆動による振動によってペンタホルダー（２１）が傾くことを抑えて、ファインダーピントや視野率の変化を低減させることが可能となる。
【００３６】
図８は、ペンタホルダー（２１）に働く力の位置を示す略図である。
【００３７】
図８（ａ）はファインダー（２）の上面投影図を示し、図７に示したファインダー（２）上面図の構成を簡易的に表している。図８（ｂ）はファインダー（２）の正面投影図を示す。以下に、図８を用いて圧縮ばね（２６）とポゴピン（２９０２）の位置について説明する。
【００３８】
図８に示すように、ペンタホルダー（２１）の四方に設けた各圧縮ばね（２６ａ、２６ｂ、２６ｃ、２６ｄ）の付勢力をｍａからｍｄで表す。この付勢力は紙面奥行方向に働く。ペンタユニット（３）の重心位置を点ｕで表し、ペンタユニット（３）の自重をＵで表す。ポゴピン（２９０２）の荷重中心を点ｔで表し、ポゴピン（２９０２）がペンタホルダー（２１）に与える反力をｍｔで表す。この反力は紙面手前方向に働く。また、ピント板（２４）の面内は光軸であるため、ポゴピン（２９０２）はピント板（２４）の面外に配置される必要がある。図８に示す構成において、ペンタホルダー（２１）を安定してカメラ（１）側へ付勢するための必要付勢力は、以下の式（１）のように表せる。
【００３９】
【数１】
2019028177.tif 000003
【００４０】
式（１）より、圧縮ばね（２６）の総付勢力からポゴピン（２９０２）の反力を引いた値が、ペンタユニット（３）の自重に安全率Ｓをかけた荷重以上であれば、カメラ（１）の姿勢変化やミラー駆動による振動などで、ペンタホルダー（２１）が傾くことを防ぐことができる。
【００４１】
図９は、カメラ本体（１）に衝撃が加わった際のペンタホルダー（２１）の姿勢を示す略図である。
【００４２】
以下に、図８、図９を用いて、カメラ本体（１）に衝撃が加わった際に、ペンタホルダー（２１）が傾かないための構成について説明する。
【００４３】
まず、図８（ｂ）に示すファインダー（２）がカメラ（１）に装着された状態では、ペンタホルダー（２１）が調整部材（２７）に取り付けられており、ペンタホルダー（２１）に加わる外力は釣り合っている。そのため、ペンタユニット（３）に回転モーメントは生じずに、ペンタホルダー（２１）に取り付けられたピント板（２４）も傾かない。
【００４４】
一方で、カメラ本体（１）に落下などによる衝撃が加わると、ペンタホルダー（２１）は位置決めピン（２７０１）に沿ってカメラ本体（１）から離れる方向に動く。このとき、ペンタホルダー（２１）に働く外力は、圧縮ばね（２６）による付勢力と、ポゴピン（２９０２）による反力である。これらの外力によって、ペンタユニット（３）に重心回りのモーメントが発生すると、図９に示すようにペンタユニット（３）は矢印Ｍの方向に回転する。ペンタユニット（３）を構成するペンタホルダー（２１）の姿勢が傾くことで、ペンタホルダー（２１）の嵌合孔（２１０２）や、位置決めピン（２７０１）の摺動面が削れる恐れがある。カメラ本体（１）に衝撃が加わった際に、ペンタユニット（３）の回転モーメントの発生を防ぐためには、ペンタホルダー（２１）に働く外力によって生じる、ペンタユニット（３）の重心回りのモーメントを０にすればよい。すなわち、圧縮ばね（２６）の付勢力と、ポゴピン（２９０２）の反力による、ペンタユニット（３）の重心回りのモーメントが釣り合っていれば、ペンタユニット（３）の傾きは抑えられる。そのため、ペンタユニット（３）を構成するペンタホルダー（２１）やピント板（２４）の傾きも抑えられる。
【００４５】
次に、図１０にペンタホルダー（２１）に働く外力の位置を示すファインダー（２）上面略図を示す。
【００４６】
図１０を用いて、圧縮ばね（２６）の付勢力と、ポゴピン（２９０２）の反力による、ペンタユニット（３）の重心回りのモーメントが釣り合うための条件を説明する。
【００４７】
図１０（ａ）に示すように、ペンタユニット（３）の重心の点ｕを原点にとり、左右方向にｘ軸、ｘ軸と直交する方向にｙ軸をとる。圧縮ばね（２６ａ、２６ｂ、２６ｃ、２６ｄ）の位置をそれぞれ、点ａ、点ｂ、点ｃ、点ｄとして、各点の座標をそれぞれ、ａ（ｘａ、ｙａ）、ｂ（ｘｂ、ｙｂ）、ｃ（ｘｃ、ｙｃ）、ｄ（ｘｄ、ｙｄ）とおく。ポゴピン（２９０２）の位置を点ｔとして、点ｔの座標をｔ（ｘｔ、ｙｔ）とおく。このとき、圧縮ばね（２６）の付勢力とポゴピン（２９０２）の反力による荷重重心の座標点Ｇ（ＸＧ、ＹＧ）は、力の向きを考慮して以下のように表される。
【００４８】
【数２】
2019028177.tif 000004
【００４９】
ここで、圧縮ばね（２６）とポゴピン（２９０２）による荷重重心の座標点Ｇが、ペンタユニット（３）の重心位置である原点に一致するとき、式（２）、（３）は次式のように変形できる。
【００５０】
【数３】
2019028177.tif 000005
【００５１】
以上の式（４）、（５）と、必要な付勢力の式（１）を満たすように、ポゴピン（２９０２）の位置および反力に対して、圧縮ばね（２６ａ、２６ｂ、２６ｃ、２６ｄ）の位置と付勢力を異ならせることで、ペンタユニット（３）に働く外力の荷重重心と、ペンタユニット（３）の重心を一致させることができる。
【００５２】
この結果、カメラ（１）に衝撃が加わった際に、ペンタホルダー（２１）に働く回転モーメントを低減して、位置決めピン（２７０１）やペンタホルダー（２１）の嵌合孔（２１０２）などの摺動部に働く力を低減できる。そして、位置決めピン（２７０１）や嵌合孔（２１０２）の削れを低減して、ペンタホルダー（２１）の取り付け位置精度の低下を抑える。この結果、ファインダーピントや視野率の変化や、アクセサリー装着面の防滴性の低下、ならびに光線の侵入または漏れなどを低減することが可能となる。なお、圧縮ばね（２６）やポゴピン（２９０２）がさらに配置された場合においても、同様の方法でペンタユニットの重心とペンタユニットに働く荷重重心を一致させることで、同様の効果が期待できる。
【００５３】
ここで、式（１）、（４）、（５）に従って各圧縮ばね（２６）の付勢力を決める際に、ポゴピン（２９０２）の位置によっては、各付勢力の差が大きくなる。この付勢力の差が大きくなると、ファインダー（２）装着時にファインダー外装部材（１４）に与える装着力に偏りが生じて、ファインダー（２）の装着操作性が低下する恐れがある。したがって、カメラ本体（１）とファインダー（２）の電気通信を行いつつ、衝撃時にペンタホルダー（２１）の傾き抑えると共に、ファインダー（２）装着の操作性低下を低減するためには、ファインダー（２）装着力の偏りを低減するための条件が必要である。以下に、ファインダー（２）装着力の偏りを低減するための条件式を示す。
【００５４】
【数４】
2019028177.tif 000006
【００５５】
式（６）のｍｍａｘおよびｍｍｉｎは、式（３）における各圧縮ばね（２６ａ、２６ｂ、２６ｃ、２６ｄ）の付勢力の中で、最大と最小の値が選択される。
【００５６】
図１０（ａ）の構成では、ポゴピン（２９０２）は複数の圧縮ばね（２６）を囲ってできる面Ｖの内側に位置する。この構成では、ｍｍａｘはポゴピン（２９０２）に最も近いｍｂが選択され、ｍｍｉｎはポゴピン（２９０２）から最も遠いｍｄが選択される。この構成では、複数の圧縮ばね（２６）のうち、ポゴピン（２９０２）の位置に近い順番に、ポゴピン（２９０２）の反力を打ち消すための追加の付勢力が必要となる。
【００５７】
図１０（ｂ）の構成では、ポゴピン（２９０２）の位置が圧縮ばね（２６ｂ）の位置と重なっている。このとき、ｍｍａｘはｍｂが選択され、ｍｍｉｎはｍｄが選択され、その差はポゴピン（２９０２）の反力ｍｔと一致する。
【００５８】
図１０（ｃ）の構成では、ポゴピン（２９０２）は複数の圧縮ばね（２６）を囲ってできる面Ｖの外側に位置する。この構成では、ポゴピン（２９０２）の位置が面Ｖから離れるほど、圧縮ばね（２６ａ、２６ｂ）の必要付勢力は増加し、圧縮ばね（２６ｃ、２６ｄ）の必要付勢力は低減する。このとき、ｍｍａｘはｍｂが選択され、ｍｍｉｎはｍｄが選択され、その差はポゴピン（２９０２）の反力ｍｔよりも大きな値となる。
【００５９】
以上により、条件式（６）に従って圧縮ばね（２６）およびポゴピン（２９０２）の位置を決めることで、図１０（ｃ）のような構成は除かれて、図１０（ａ）、（ｂ）の構成が得られる。この結果、各圧縮ばね（２６）の必要な付勢力の差が大きくなることを抑制して、ファインダー（２）装着力の偏りを低減することが可能となる。
【００６０】
以上の条件式（６）に従って、ポゴピン（２９０２）の位置を決めることで、カメラ（１）に衝撃が加わった際に、ペンタホルダー（２１）に働く回転モーメントを低減して、位置決めピン（２７０１）やペンタホルダー（２１）の嵌合孔（２１０２）などの摺動部に働く力を低減できる。そして、位置決めピン（２７０１）や嵌合孔（２１０２）の削れを低減して、ペンタホルダー（２１）の取り付け位置精度の低下を抑える。この結果、ファインダーピントや視野率の変化や、アクセサリー装着面の防滴性の低下、ならびに光線の侵入による光漏れなどを低減することが可能となる。
【００６１】
図１１に、ファンアクセサリー（６）の分解斜視図を示す。図１２に、ファンアクセサリー（６）の構成図を示す。
【００６２】
図１１、図１２を用いて、ファンアクセサリー（６）の構成を説明する。
【００６３】
図１１に示すように、ファンアクセサリー（６）は、ファン外装部材（３０）、アイピースユニット（４）、ロック機構（５）、およびファンユニット（７）で構成される。ファンユニット（７）は、ファン（３１）およびファン（３１）を固定するファンホルダー（３２）で構成される。ファンホルダー（３２）はペンタホルダー（２１）と同様に、嵌合孔（２１０２）が設けられており、調整部材（２７）の位置決めピン（２７０１）と嵌合することでカメラ本体（１）と精度よく取り付けられる。
【００６４】
また、図１１および図１２に示すように、ファンホルダー（３２）には複数の接点部（２９０１）が設けられており、調整部材（２７）上の複数のポゴピン（２９０２）と電気接続が可能となる。この構成により、ファン（３１）を駆動するための電力を、カメラ本体（１）から供給することが可能となる。図１２は、ファンアクセサリー（６）がカメラ本体（１）に装着されたときの構成を示している。カメラ（１）は、レンズ（３３）に入射した光の光軸上に撮像素子（３４）があり、その背面に基板（３５）が設けられている。
【００６５】
ファンアクセサリー（６）をファインダー（２）の代わりにカメラ本体（１）に取り付けることによって、ファン（３１）は図１２の矢印の方向へ風を送り、カメラ内部にある撮像素子（３４）や基板（３５）などを冷却することが出来る。ファン（３１）の電力を供給するためのポゴピン（２９０２）の位置は、流路を阻害しない位置に配置する必要がある。そのため、図１１、図１２に示すように、ポゴピン（２９０２）をファンホルダー（３２）の端に配置した場合、各圧縮ばね（２６）の付勢力に差が生じる恐れがあるが、本実施の条件式（７）、（１０）に従って各圧縮ばね（２６）および電気接続部材（２９）の位置および付勢力を決めることでファンアクセサリー（６）の装着力の偏りを低減することが可能となる。
【００６６】
また、ファインダー（２）とファンユニット（６）の自重が異なる場合、式（１）に示した安全率Ｓを同一とすると、式（１）の左項に示す、必要な付勢力の合計値は異なる。この場合、アクセサリーの装着の際に、各圧縮ばね（２６）を圧縮しながらファインダー外装部材（１４）やファン外装部材（３０）をカメラ本体（１）へ取り付けるため、アクセサリー毎に必要となる装着力は異なる。本実施の形態によれば、図２および図１１に示すように、各圧縮ばね（２６）をファインダー（２）やファンユニット（６）などのアクセサリー側に設けて、任意の安全率Ｓを定めることで、各圧縮ばね（２６）の合計付勢力を決めることができる。すなわち、各アクセサリーに設けた各圧縮ばね（２６）の合計付勢力を同一とした場合は、装着されるアクセサリーの自重に依らず、装着力を略一定とすることが可能となる。
【００６７】
以下に、本実施の形態における主要な構成およびその効果をまとめる。まず、カメラ本体（１）に衝撃が加わった際に、圧縮ばね（２６）とポゴピン（２９０２）によるペンタユニット（３）の重心回りのモーメントの発生を防ぐための条件式（４）、（５）を示した。この条件式（４）、（５）に従って、各圧縮ばね（２６）の付勢力を決めることで、衝撃時にペンタユニット（３）が位置決めピン（２７０１）に沿って摺動する際に、摺動面にかかる負荷を低減して、摺動面の削れを低減することが可能となる。この結果、ペンタホルダー（２１）の取り付け位置の低下を抑えて、ファインダーピントや視野率の変化を低減することが可能となる。また、カメラ（１）に装着されるアクセサリーが撮像ユニットの場合は、カメラマウント面から撮像面までの距離であるフランジバックの変化や、画角の変化を低減することが可能となる。さらに、アクセサリー装着面の防滴性の低下を防ぐことや、光線の侵入または漏れを低減することが可能となる。次に、ファインダー（２）装着時の装着力の偏りを低減するための条件式（６）を示した。この条件式（６）従って、電気接続部材（２９）の位置を決めることにより、ファインダー（２）装着力の偏りを低減して、ファインダー（２）装着の操作性の低下を抑えることが可能となる。
【００６８】
以上、本発明の好ましい実施形態について説明したが、本発明はこれらの実施形態に限定されず、その要旨の範囲内で種々の変形及び変更が可能である。
【符号の説明】
【００６９】
１  カメラ、２  ファインダー、３  ペンタユニット、４  アイピースユニット、
５  ロック機構、６  ファンアクセサリー、７  ファニュニット、
１０  レンズマウント、１１  グリップ、１２  反射ミラー、１３  レリーズボタン、
１４  ファインダー外装部材、１５  カメラ外装部材、２１  ペンタホルダー、
２１０１  貫通孔、２１０２  嵌合孔、２２  ペンタダハプリズム、
２３  ファインダー内表示部材、２３０１  ファインダー内下部液晶表示器、
２３０２  ファインダー内右部液晶表示器、２４  ピント板、２５  釣り下げねじ、
２５０１  ビス頭、２５０２  ねじ径、２６  圧縮ばね、２７  調整部材、
２７０１  位置決めピン、２８  前板、２９  電気接続部材、２９０１  接点部、
２９０２  ポゴピン、３０  ファン外装部材、３１  ファン、３２  ファンホルダー、
３３  レンズ、３４  撮像素子、３５  基板
【図１】
2019028177.tif 000007
【図２】
2019028177.tif 000008
【図３】
2019028177.tif 000009
【図４】
2019028177.tif 000010
【図５】
2019028177.tif 000011
【図６】
2019028177.tif 000012
【図７】
2019028177.tif 000013
【図８】
2019028177.tif 000014
【図９】
2019028177.tif 000015
【図１０（ａ）】
2019028177.tif 000016
【図１０（ｂ）】
2019028177.tif 000017
【図１０（ｃ）】
2019028177.tif 000018
【図１１】
2019028177.tif 000019
【図１２】
2019028177.tif 000020